(57)【特許請求の範囲】
【請求項１】
所定数の文字を入力可能なセルが行列形式で配列された検査装置または測定装置における動作条件を設定する作表画面上の当該セル内に、前記文字を入力する際の入力位置を示すカーソルを表示するカーソル表示方法において、
カーソル移動用キーのキー操作によって前記カーソルが所定の前記セルから行方向に隣接する他の所定のセルに移動させられたときに、前記セルを区画する罫線上を経由することなく、当該他の所定のセル内における前記移動させられた側の端部の入力位置に前記カーソルを表示させることを特徴とするカーソル表示方法。
【請求項２】
前記セル内に表示されている文字数が前記所定数に達していない状態であって、前記カーソル移動用キーのキー操作によって前記カーソルが前記セル内の最終表示文字位置から当該セル内の空き入力位置の方向に移動させられたときに、当該セル内の前記最終表示文字位置に隣接する前記空き入力位置を介して、当該セル内の当該空き入力位置に連続する他の空き位置を飛び越して、前記行方向に隣接する前記他の所定のセル内における前記移動させられた側の端部の入力位置に前記カーソルを表示させることを特徴とする請求項１記載のカーソル表示方法。
【請求項３】
前記カーソル移動用キーのキー操作によって前記カーソルが所定の前記セルから列方向で隣接する他の所定のセルに移動させられたときに、他の前記入力位置を経由することなく、前記所定のセル内における最終表示文字位置と同列または所定列の表示位置に当該移動後のカーソルを表示させることを特徴とする請求項１または２記載のカーソル表示方法。
【請求項４】
所定のキー操作に従い前記所定列が任意の列に設定されたときに、前記カーソルが所定の前記セルから他の所定のセルに移動させられた際に、当該他の所定のセル内における前記設定された列に前記カーソルを表示させることを特徴とする請求項３記載のカーソル表示方法。
【請求項５】
前記セル内の指定されている前記入力位置と、他の前記入力位置とを識別可能に前記カーソルを表示させることを特徴とする請求項１から４のいずれかに記載のカーソル表示方法。
【請求項６】
所定数の文字を入力可能なセルが行列形式で配列された作表画面上の当該セル内に、前記文字を入力する際の入力位置を示すカーソルを表示する検査装置において、
カーソル移動用キーのキー操作によって前記カーソルが所定の前記セルから行方向に隣接する他の所定のセルに移動させられたときに、前記セルを区画する罫線上を経由することなく、当該他の所定のセル内における前記移動させられた側の端部の入力位置に前記カーソルを表示させることを特徴とする検査装置。
【請求項７】
所定数の文字を入力可能なセルが行列形式で配列された作表画面上の当該セル内に、前記文字を入力する際の入力位置を示すカーソルを表示する測定装置において、
カーソル移動用キーのキー操作によって前記カーソルが所定の前記セルから行方向に隣接する他の所定のセルに移動させられたときに、前記セルを区画する罫線上を経由することなく、当該他の所定のセル内における前記移動させられた側の端部の入力位置に前記カーソルを表示させることを特徴とする測定装置。
【発明の詳細な説明】
【０００１】
【発明の属する技術分野】
本発明は、文字を入力する際の入力位置を示すカーソルを作表画面上に表示するカーソル表示方法に関し、特に、検査装置や測定装置の動作条件を設定するための動作条件設定用画面などにカーソルを表示させるのに適したカーソル表示方法、その検査装置、およびその測定装置に関するものである。
【０００２】
【従来の技術】
例えば、回路基板検査装置を用いて検査対象回路基板に対するプロービングを行う場合には、その検査対象回路基板上の任意の点にプローブを接触させるために、プローブを接触させる順（ステップ）毎に検査対象回路基板上の座標を特定する座標データを作成する必要がある。出願人は、この種の座標データを作成するための座標データ作成ツールを既に開発している。この座標データ作成ツールでは、図１１に示す座標データ作成用画面３１におけるデータ入力部３２の各セルに、プローブを接触させるＩＣ（集積回路）の名称、端子番号、およびプローブを接触させる検査対象回路基板上の座標などをステップ毎にそれぞれ入力することにより、一連の回路基板検査を行うための座標データが作成される。なお、同図は、既に各ステップ毎の座標などが入力された状態を示している。
【０００３】
この座標データ作成用画面３１では、既入力のステップ名や座標を修正することができる。例えば、「Ｎｏ．２４７」行に入力されているＩＣ２１８の２番および３番端子へのプロービングについての高電位側プローブのＸ座標を修正する場合には、まず、図外の操作部に配設されているカーソル移動用キーを操作することにより、図１２に示すように、セルポインタ４０を「Ｎｏ．２４７」行の「Ｈｘ」列のセルに移動させる。次に、キーボードの例えばＦ２キーを操作することにより、図１３（ａ）に示すように、セル内における先頭入力位置にカーソル４１を表示させる。次いで、カーソル移動用キーを操作することにより、同図（ｂ）に示すように、カーソル４１を既入力座標の「１」と「２」との間に移動させる。続いて、例えばＤＥＬキーを操作することにより、「２」および「８」を順に削除した後に、数字キーを操作することにより、同図（ｃ）に示すように、「３」および「６」を順に入力する。この後、ＥＮＴＥＲキーを操作すると、図１４に示すようにカーソル４１が非表示されると共に、「−１３６．３８０」が高電位側プローブのＸ座標として確定する。
【０００４】
次に、「Ｎｏ．２４８」行に入力されているＩＣ２１８の３番および４番端子へのプロービングについての高電位側プローブのＸ座標を修正する場合には、まず、カーソル移動用キーを操作することにより、図１５（ａ）に示すように、セルポインタ４０を「Ｎｏ．２４８」行の「Ｈｘ」列のセルに移動させる。次いで、Ｆ２キーを操作することにより、同図（ｂ）に示すように、「Ｎｏ．２４８」行の「Ｈｘ」列のセル内における先頭入力位置にカーソル４１を表示させる。この後、前述した「Ｎｏ．２４７」行の「Ｈｘ」列のセルについての座標の修正と同様にして、「Ｎｏ．２４８」行の「Ｈｘ」列のセルの座標を修正する。
【０００５】
【発明が解決しようとする課題】
ところが、この座標データ作成用画面３１におけるカーソル表示方法には、以下の改善すべき課題がある。
第１に、この座標データ作成用画面３１では、既入力のステップ名や座標を修正する場合に、セルポインタ４０を修正対象のセルに移動させ、Ｆ２キーを操作することによりカーソル４１を表示させ、加えて、修正しようとする文字の位置までカーソル４１を移動させなければならない。したがって、修正すべき文字の位置にカーソル４１を表示させるまでの操作が煩雑であるため、ステップ名や座標の修正作業に長時間を要するという課題がある。
【０００６】
第２に、座標データ作成用画面３１では、入力文字の位置を指定するためのカーソル４１が「Ｉ」字形であるため、多くの文字などが表示されている座標データ作成用画面３１上でカーソル４１の表示位置を直ちに識別するのが困難であるという課題がある。このため、セルポインタ４０を修正対象のセルに移動させた後に、Ｆ２キーを操作し忘れたときには、カーソル４１が非表示であることを容易に認識することができない結果、カーソル４１が表示されていない状態で数字キーなどを操作してしまうことがある。かかる場合には、例えば、図１６に示すように、セルポインタ４０が指定しているセル内の文字列が削除されると共に、操作した数字キーなどに対応する文字（同図では「３」）が入力されてしまう。この結果、既入力文字列の一部のみを修正しようとするときであっても、文字列の全文字を入力し直さなければならない。このため、カーソル４１の表示・非表示を容易に認識できる表示方法に改善すべきとの要請がある。
【０００７】
第３に、カーソル４１が文字間に表示されているため、たとえカーソル４１を識別できたとしても、カーソル４１が、その表示位置の左右いずれの文字入力位置を指定しているのかを直ちに判別するのが困難である。したがって、カーソル４１の左側に表示されている文字を修正したいにも拘わらず、誤って右側に表示されている文字を修正してしまうことがあるという課題がある。
【０００８】
本発明は、かかる問題点に鑑みてなされたものであり、作表画面上の文字入力位置に迅速かつ容易にカーソルを表示させることが可能なカーソル表示方法、検査装置および測定装置を提供することを主目的とする。また、カーソルの視認性、およびカーソルの指定位置を容易に判別可能なカーソル表示方法、検査装置および測定装置を提供することを他の目的とする。
【０００９】
【課題を解決するための手段】
上記目的を達成すべく請求項１記載のカーソル表示方法は、所定数の文字を入力可能なセルが行列形式で配列された検査装置または測定装置における動作条件を設定する作表画面上のセル内に、文字を入力する際の入力位置を示すカーソルを表示するカーソル表示方法において、カーソル移動用キーのキー操作によってカーソルが所定のセルから行方向に隣接する他の所定のセルに移動させられたときに、セルを区画する罫線上を経由することなく、他の所定のセル内における移動させられた側の端部（つまり、他の所定のセル内における、カーソルが移動させられたセル側の端部）の入力位置にカーソルを表示させることを特徴とする。なお、本明細書における「入力」の操作には、文字の新たな入力に限らず、既入力の文字の削除や修正などの操作が含まれるものとする。
【００１０】
上記目的を達成すべく請求項６記載の検査装置は、所定数の文字を入力可能なセルが行列形式で配列された作表画面上のセル内に、文字を入力する際の入力位置を示すカーソルを表示する検査装置において、カーソル移動用キーのキー操作によってカーソルが所定のセルから行方向に隣接する他の所定のセルに移動させられたときに、セルを区画する罫線上を経由することなく、他の所定のセル内における移動させられた側の端部の入力位置にカーソルを表示させることを特徴とする。
【００１１】
上記目的を達成すべく請求項７記載の測定装置は、所定数の文字を入力可能なセルが行列形式で配列された作表画面上のセル内に、文字を入力する際の入力位置を示すカーソルを表示する測定装置において、カーソル移動用キーのキー操作によってカーソルが所定のセルから行方向に隣接する他の所定のセルに移動させられたときに、セルを区画する罫線上を経由することなく、他の所定のセル内における移動させられた側の端部の入力位置にカーソルを表示させることを特徴とする。
【００１２】
上記のカーソル表示方法、検査装置および測定方法では、カーソル移動用キーのキー操作によってカーソルを所定のセルから行方向の他の所定のセルに移動したときには、他の所定のセル内における移動させられた側の端部の入力位置にカーソルを表示させる。したがって、カーソルは、移動後のセル内における先頭または最終の入力位置に直ちに表示される。このため、その入力位置に対する新たな文字の入力や既入力の文字の修正を直ちに行うことがことが可能となる。
【００１３】
請求項２記載のカーソル表示方法は、請求項１記載のカーソル表示方法において、セル内に表示されている文字数が所定数に達していない状態であって、カーソル移動用キーのキー操作によってカーソルがセル内の最終表示文字位置からセル内の空き入力位置の方向に移動させられたときに、セル内の最終表示文字位置に隣接する空き入力位置を介して、セル内の空き入力位置に連続する他の空き位置を飛び越して、行方向に隣接する他の所定のセル内における移動させられた側の端部の入力位置にカーソルを表示させることを特徴とする。
【００１４】
このカーソル表示方法では、例えば、１０文字分入力可能なセルに、左詰めで６文字が入力されている場合、その６文字のいずれかの入力位置に表示されているカーソルを右方向に移動させていくと、６文字目の入力位置に表示され、さらに右方向に移動させると、７文字目が入力されるべき空き入力位置にカーソルが表示され、さらに右方向に移動させると、８〜１０文字に対応する空き入力位置を飛び越えて右隣りセルの先頭入力位置にカーソルを表示させる。したがって、作表画面上でカーソルを素早く移動させることができ、文字の修正などの際には、迅速に修正作業を行うことが可能となる。なお、カーソルを左方向に移動させる場合にも、右方向に移動させる場合と同様にして表示させる。
【００１５】
請求項３記載のカーソル表示方法は、請求項１または２記載のカーソル表示方法において、カーソル移動用キーのキー操作によってカーソルが所定のセルから列方向で隣接する他の所定のセルに移動させられたときに、他の入力位置を経由することなく、所定のセル内における最終表示文字位置と同列または所定列の表示位置に移動後のカーソルを表示させることを特徴とする。
【００１６】
このカーソル表示方法では、例えば、所定のセル内での文字修正を完了した後、カーソル移動用キーのキー操作によってカーソルが列方向の他のセルに移動させられたときには、所定のセル内における最終表示文字位置と同列または所定列の表示位置に移動後のカーソルを表示させる。したがって、例えば、列方向に配列されているセル内の既入力数字の特定の桁のみを修正する場合など、容易に数字を修正することが可能となる。
【００１７】
請求項４記載のカーソル表示方法は、請求項３記載のカーソル表示方法において、所定のキー操作に従い所定列が任意の列に設定されたときに、カーソルが所定のセルから他の所定のセルに移動させられた際に、他の所定のセル内における設定された列にカーソルを表示させることを特徴とする。
【００１８】
このカーソル表示方法では、まず、セル内におけるカーソルの表示位置を所定のキー操作によって任意の列に設定する。この後、セル内でカーソルを行方向に移動させたときであっても、他の行方向または列方向のセルにカーソルを移動させたときには、設定された列にカーソルを表示させる。このため、例えば、複数のセル内に入力されている数字の特定の桁数のみを連続して修正する場合など、カーソルを行方向に移動させずに数字を直ちに修正することが可能となる。
【００１９】
請求項５記載のカーソル表示方法は、請求項１から４のいずれかに記載のカーソル表示方法において、セル内の指定されている入力位置と、他の入力位置とを識別可能にカーソルを表示させることを特徴とする。
【００２０】
このカーソル表示方法では、例えば、カーソルによって指定される入力位置を反転表示させることにより、指定されている入力位置と、他の入力位置とを識別可能に表示する。これにより、カーソルがどの入力位置を指定しているのかを容易に認識させることが可能となる。
【００２１】
【発明の実施の形態】
以下、添付図面を参照して、本発明に係るカーソル表示方法を回路基板検査装置用座標データを作成するための座標データ作成用ツールにおけるカーソル表示に適用した実施の形態について説明する。
【００２２】
図１は、座標データ作成用ツールにおける座標データ作成用画面１を示した図である。座標データ作成用画面１は、本発明における作表画面に相当し、座標データ作成用ツールのＣＲＴなどに表示される。この座標データ作成用画面１は、同図に示すように、座標データなどを入力するための複数のセルが行および列方向に複数配列表示されたデータ入力部２と、データ入力部２上の任意のセルを選択するためのセルポインタ１０と、任意の１文字を指定するためのカーソル１１と、セル内におけるカーソル１１の表示位置を記憶させるためのカーソル位置記憶ボタン２１とを少なくとも表示することにより構成されている。この座標データ作成用画面１では、図外のキーボードの各キーを操作することによりカーソル１１をデータ入力部２内の任意セル内における任意の入力位置に移動させ、その後に、ステップネーム、並びに高電位側プローブや低電位側プローブを接触させるべき検査対象回路基板上のＸ座標およびＹ座標などを入力する。これにより、一連の回路基板検査を行うための座標データを作成することができる。
【００２３】
この座標データ作成用画面１では、同図に示すように、セル内における任意の入力位置を指定するためのカーソル１１がセルポインタ１０と共に常に表示される。また、図２に示すように、カーソル１１が反転表示によって表示されており、これにより、文字入力が可能な位置を容易に判別することが可能となっている。さらに、カーソル１１は、図３（ａ）に示すように、セルポインタ１０によって選択されているセル内を行方向に自由に移動させることができる。また、例えば、同図に示すように、セル内の右端の入力位置にカーソル１１が表示されている状態で、さらに右側に移動させたときには、カーソル１１は、同図（ｂ）に示すように、右隣りのセルにおける先頭入力位置の入力位置（本発明における「移動させられた側の端部の入力位置」に相当する）に表示される。また、図２に示すように、例えば、セル内における右端から２番目の入力位置にカーソル１１が表示されている状態で、列方向下側のセルにカーソル１１を移動させたときには、図４に示すように、カーソル１１は、移動後のセル内において、移動前の列と同列となる右端から２番目の入力位置（本発明における「最終表示文字位置と同列の表示位置」に相当する）に表示される。
【００２４】
さらに、座標データ作成用画面１のカーソル位置記憶ボタン２１を選択操作（本発明における「所定のキー操作」に相当する）することにより、カーソル１１が表示されているセル内の末尾表示位置に対する相対的な表示位置が記憶され、他のセルに移動させられた際には、カーソル１１は、記憶されている相対的な表示位置（本発明における「所定列の表示位置」に相当する）に自動的に表示される。例えば、図２に示す状態、つまりセル内の右端から２番目の入力位置にカーソル１１が表示されている状態において、カーソル位置記憶ボタン２１を選択操作すると、図５（ａ）に示すように、カーソル１１が反転表示から枠囲み表示へと表示替えされると共に、その表示位置が記憶される。この状態で、例えば、右隣りのセルにカーソル１１を移動させた場合には、同図（ｂ）に示すように、直前に記憶させた相対的な表示位置（セル内の右端から２番目）にカーソル１１が自動的に表示される。
【００２５】
具体的な使用方法としては、セル内の座標のうち特定の２桁を連続して修正する場合に好適に用いることができる。例えば、セル内の右端から１つ目および２つ目の桁を連続して修正する場合、セル内の右端から２桁目をカーソル位置として記憶させる。かかる場合、任意のセル内の座標を修正した直後の状態は、図６（ａ）に示すように、カーソル１１は、セル内の右端に表示される。この状態で、カーソル１１をさらに行の右方向に移動させると、同図（ｂ）に示すように、セルポインタ１０によって右隣りのセルが選択されると共に、そのセル内の右端から２桁目にカーソル１１が表示される。このため、上書き修正することにより、任意の数字をその２桁に直ちに入力することができる。
【００２６】
また、カーソル１１を行方向に移動させる場合、図７（ａ）に示すように、移動方向に空き入力位置が連続して存在するときには、その空き入力位置の２つ目以降の空き入力位置を飛び越してカーソル１１を他のセル内に移動させることができる。具体的には、同図（ａ）に示すように、最終表示文字位置にカーソル１１が表示されている状態で、カーソル移動用キーを操作してカーソル１１を右側に移動させると、同図（ｂ）に示すように、連続する空き入力位置の先頭位置にカーソル１１が表示され、さらにカーソル１１を右方向に移動させると、他の空き入力位置を飛び越して、同図（ｃ）に示すように、隣りのセルの先頭入力位置にカーソル１１が表示される。また、この状態からカーソル１１を左側に移動させると、同図（ｂ）に示すように、隣りのセルの連続する空き入力位置の先頭（本発明における「移動させられた側の端部の入力位置」に相当する）にカーソル１１が表示され、さらに左側にカーソル１１を移動させると、同図（ａ）に示すように、最終表示文字位置にカーソル１１が表示される。このように、空き入力位置が連続する場合に、その先頭の入力位置のみカーソル１１が表示されるため、カーソル１１を素早く移動させることができる。なお、空き入力位置の先頭位置に数字などが入力されたときには、その入力された数字の右隣が新たな空き入力位置の先頭位置となる。
【００２７】
一方、例えば、小数点以下第２位および第３位の両入力位置に入力されている文字を一括に削除するような場合には、小数点以下第２位の入力位置にカーソル１１を表示させた状態でＳＨＩＦＴキーを押しながらカーソル移動用キーを操作することにより、図８（ａ）に示すように、小数点以下第２位および第３位の両入力位置が反転表示される。この状態でＤＥＬキーを操作することにより、反転表示されている小数点以下第２位および第３位の両入力位置に入力されている文字（同図では「８」と「０」）が一括削除される。また、複数のセルの既入力文字を一括削除することもできる。この場合には、選択しようとする複数のセルのうち、例えば、任意の位置のセル内にカーソル１１が表示された状態でＳＨＩＦＴキーおよびＣＴＲＬキーを押しながらカーソル移動用キーを操作して、その任意のセルの右下のセルまで移動させることにより、同図（ｂ）に示すように、４つのセルが反転表示される。この状態でＤＥＬキーを操作することにより、反転表示されている４つのセル内のすべての既入力文字が削除される。
【００２８】
このように、座標データ作成用画面１では、様々な文字入力状況において効率良く任意の入力位置を指定できるように、カーソル１１が表示される。
【００２９】
次に、座標データ作成用画面１におけるデータ入力部２内の既入力内容を修正する手順を図１，９，１０を参照して具体的に説明する。
【００３０】
例えば、「Ｎｏ．２４７」行に入力されている高電位側プローブの座標、および「Ｎｏ．２４８」行に入力されている高電位側プローブの座標における第１０位および第１位の数値を修正する例について説明する。まず、図９（ａ）に示すように、カーソル１１を「Ｎｏ．２４７」行の「Ｈｘ」列のセルにおける第１０位の入力位置に移動させる。この状態でカーソル位置記憶ボタン２１を操作すると、同図（ｂ）に示すように、カーソル１１が枠囲み表示に表示替えされると共に、カーソル１１が表示されている第１０位の入力位置が記憶される。次に、同図（ｃ）に示すように、「Ｎｏ．２４７」行の「Ｈｘ」列のセルにおける第１０位および第１位の数字を削除した後に、例えば、「３」、「６」を順に入力する。これにより、同図（ｄ）に示すように、セル内の数字が修正されると共に、カーソル１１がそのセル内における第１位の入力位置に表示される。
【００３１】
次いで、カーソル移動用キーを操作してカーソル１１を右側に移動させると、カーソル１１が「Ｎｏ．２４７」行の「Ｈｙ」列のセルに移動した瞬間に、図１０（ａ）に示すように、そのセル内における第１０位の入力位置に表示される。この状態で、同図（ｂ）に示すように、第１０位および第１位の数字を削除した後に、例えば、「４」、「２」を順に入力する。これにより、同図（ｃ）に示すように、セル内の数字が修正されると共に、カーソル１１がそのセル内における第１位の入力位置に表示される。続いて、カーソル移動用キーを操作してカーソル１１を列方向下側に移動させると、カーソル１１が「Ｎｏ．２４８」行における「Ｈｙ」列のセルに移動した瞬間に、同図（ｄ）に示すように、そのセル内における第１０位の入力位置にカーソル１１が表示される。
【００３２】
このように、カーソル１１の表示位置を記憶させることにより、セル内でカーソル１１を移動させても、他のセルに移動した瞬間に、記憶させた入力位置にカーソル１１が表示されるため、直ちに修正作業を行うことができる。
【００３３】
なお、本発明は、上記した本発明の実施の形態に示した構成に限定されない。例えば、本発明の実施の形態では、回路基板検査装置（本発明に係る検査装置に相当する）の座標データを作成するための座標データ作成用ツールに本発明におけるカーソル表示方法を適用した例について説明したが、波形記録装置や電力計などの測定装置（本発明に係る測定装置に相当する）における表示画面にも本発明のカーソル表示方法を適用することができる。また、本発明におけるカーソルは、反転表示によって入力位置を識別させているが、表示色を変えたり、点滅表示させたりして識別可能に表示させることもできる。
【００３４】
【発明の効果】
以上のように、請求項１記載のカーソル表示方法、請求項６記載の検査装置、および請求項７記載の測定装置によれば、カーソル移動用キーのキー操作によってカーソルが所定のセルから行方向に隣接する他の所定のセルに移動させられたときに、セルを区画する罫線上を経由することなく、他の所定のセル内における移動させられた側の端部の入力位置にカーソルを表示させることにより、その入力位置に対する新たな文字の入力や既入力の文字の修正を直ちに行うことがことができる。これにより、作表画面上の文字入力作業を迅速に行うことができる。
【００３５】
また、請求項２記載のカーソル表示方法によれば、カーソル移動用キーのキー操作によってカーソルがセル内の最終表示文字位置からセル内の空き入力位置の方向に移動させられたときに、セル内の最終表示文字位置に隣接する空き入力位置を介して、セル内の空き入力位置に連続する他の空き位置を飛び越して、行方向に隣接する他の所定のセル内における移動させられた側の端部の入力位置にカーソルを表示させることにより、作表画面上でカーソルを素早く移動させることができ、これにより、文字の修正などの作業を迅速に行うことができる。
【００３６】
さらに、請求項３記載のカーソル表示方法によれば、カーソル移動用キーのキー操作によってカーソルが所定のセルから列方向で隣接する他の所定のセルに移動させられたときに、所定のセル内における最終表示文字位置と同列または所定列の表示位置に移動後のカーソルを表示させることにより、例えば、列方向に配列されているセル内の既入力数字の特定の桁のみを修正する場合など、容易に数字を修正することができる。
【００３７】
また、請求項４記載のカーソル表示方法によれば、所定のキー操作に従い所定列が任意の列に設定されたときに、カーソルが所定のセルから他の所定のセルに移動させられた際に、他の所定のセル内における設定された列にカーソルを表示させることにより、例えば、複数のセル内に入力されている数字の特定の桁数のみを連続して修正する場合など、カーソルを行方向に移動させずに数字を直ちに修正することができる。これにより、数字などの入力および修正を、より迅速に行うことができる。
【００３８】
さらに、請求項５記載のカーソル表示方法によれば、セル内の指定されている入力位置と、他の入力位置とを識別可能にカーソルを表示させることにより、カーソルがどの入力位置を指定しているのかを容易に認識させることができ、これにより、誤入力を防止することができる。
【図面の簡単な説明】
【図１】  本発明の実施の形態に係る座標データ作成用画面の表示画面図である。
【図２】  本発明の実施の形態に係る座標データ作成用画面の一部についての表示画面図である。
【図３】  本発明の実施の形態に係る座標データ作成用画面の一部についての表示画面図であって、（ａ）はセル内における右端の入力位置にカーソルを移動させたときの表示画面図、（ｂ）はカーソルを右隣りのセルに移動させたときの表示画面図である。
【図４】  図２に示す状態から列方向下側のセルにカーソルを移動したときの座標データ作成用画面の一部についての表示画面図である。
【図５】  （ａ）はカーソル位置記憶ボタンを選択操作したときの座標データ作成用画面の一部についての表示画面図、（ｂ）は（ａ）の状態から右隣りのセルにカーソルを移動したときの座標データ作成用画面の一部についての表示画面図である。
【図６】  （ａ）は任意のセル内の座標を修正した直後における座標データ作成用画面の一部についての表示画面図、（ｂ）は（ａ）の状態からカーソルを行の右方向に移動したときの座標データ作成用画面の一部についての表示画面図である。
【図７】  座標データ作成用画面の一部についての表示画面図であって、（ａ）は移動方向に空き入力位置が存在することを示す表示画面図、（ｂ）は（ａ）の状態からカーソルを右方向に移動したときの表示画面図、（ｃ）は（ｂ）の状態からカーソルをさらに右方向に移動したときの表示画面図である。
【図８】  （ａ）は小数点以下第２位および第３位の入力位置を反転表示しているときの座標データ作成用画面の一部についての表示画面図、（ｂ）は４つのセルを反転表示しているときの座標データ作成用画面の一部についての表示画面図である。
【図９】  既入力内容を修正する際の手順を説明するための座標データ作成用画面の一部についての表示画面図であって、（ａ）はセルの第１０位の入力位置にカーソルを移動したときの表示画面図、（ｂ）は（ａ）の状態においてカーソル位置記憶ボタンを選択操作したときの表示画面図、（ｃ）は第１０位および第１位の数値を削除したときの表示画面図、（ｄ）は第１０位および第１位の数値を入力したときの表示画面図である。
【図１０】  既入力内容を修正する際の手順を説明するための座標データ作成用画面の一部についての表示画面図であって、（ａ）は図９（ｄ）の状態から右隣りのセルにカーソルを移動したときの表示画面図、（ｂ）は第１０位および第１位の数字を削除したときの表示画面図、（ｃ）は第１０位および第１位の数値を入力したときの表示画面図、（ｄ）は（ｃ）の状態から列方向下側にカーソルを移動したときの表示画面図である。
【図１１】  従来の座標データ作成用画面の表示画面図である。
【図１２】  従来の座標データ作成用画面の一部についての表示画面図である。
【図１３】  既入力内容を修正する際の手順を説明するための従来の座標データ作成用画面の一部についての表示画面図であって、（ａ）はセル内における先頭入力位置にカーソルを表示させたときの表示画面図、（ｂ）は（ａ）の状態からカーソルを右隣りに移動したときの表示画面図、（ｃ）は第１０位および第１位の数字を入力した直後の表示画面図である。
【図１４】  入力したＸ座標の数値が確定したときの従来の座標データ作成用画面の一部についての表示画面図である。
【図１５】  （ａ）は図１４の状態からセルポインタを列方向下側に移動したときの従来の座標データ作成用画面の一部についての表示画面図、（ｂ）は（ａ）の状態からカーソルをセル内の先頭入力位置に表示させたときの従来の座標データ作成用画面の一部についての表示画面図である。
【図１６】  誤操作時における従来の座標データ作成用画面の一部についての表示画面図である。
【符号の説明】
１  座標データ作成用画面
２  データ入力部
１０  セルポインタ
１１  カーソル
２１  カーソル位置記憶ボタン
【図１】
0004060444.tif 000002
【図２】
0004060444.tif 000003
【図３】
0004060444.tif 000004
【図４】
0004060444.tif 000005
【図５】
0004060444.tif 000006
【図６】
0004060444.tif 000007
【図７】
0004060444.tif 000008
【図８】
0004060444.tif 000009
【図９】
0004060444.tif 000010
【図１０】
0004060444.tif 000011
【図１１】
0004060444.tif 000012
【図１２】
0004060444.tif 000013
【図１３】
0004060444.tif 000014
【図１４】
0004060444.tif 000015
【図１５】
0004060444.tif 000016
【図１６】
0004060444.tif 000017